(57)【要約】      （修正有）【課題】  データを記録している際に記録媒体に一部のデータの記録が行われず記録エラーが生じた場合、記録媒体にデータの記録を行う際に、当該データ記録装置にデータが与えられていながら、バッファメモリの一時記録の処理や記録媒体においてデータを記録することに不具合が生じ、一部のデータが欠落されたまま記録が行われるという事態が発生した場合に、再生時にそのデータの欠落が判り、その分信頼できるデータ記録を得ることを目的とする。【解決手段】  バッファメモリ７及び記録媒体１４においてデータを記録することにエラーが生じる際にそのエラーを判定するエラー判定手段８と、エラー判定手段８がエラーの生じた旨を判定したことに基づいて、その旨を記録媒体１４に記録して再生時にエラーがあったことを報知するための報知手段１５を備えて構成した。【選択図】図１
2006309492.tif 000002
【特許請求の範囲】
【請求項１】
記録媒体に、入力されるデータを記録するためのデータ記録手段と、
そのデータ記録手段からデータを記録するために記録媒体に送られても、データが記録媒体に記録が行われずに破棄されると、その旨を検出してデータが欠落しその分のデータが記録媒体に記録されずにデータの記録においてエラーが発生したと判定するエラー判定手段と、
そのエラー判定手段が記録媒体へのデータの記録にエラーがあったと判定した場合に、その旨を記録媒体に記録し、再生時にデータの記録にエラーがあった旨を報知するための報知手段が備えてなるデータ記録装置。
【請求項２】
データ記録手段と記録媒体の間に、記録すべきデータを一時的に記録するメモリ手段が備えられ、エラー判定手段が、前記メモリ手段に一時記録されたデータがオーバーフローとなって記録媒体に送られず破棄されたことを検出し、データが欠落して記録媒体に記録されずにデータ記録でエラーが発生したと判定するように機能する請求項１に記載のデータ記録装置。
【請求項３】
記録媒体にデータを記録することについての不具合があり、データの入力があっても記録が行われなかった場合、エラー判定手段が、その旨を検出し、データが欠落して記録媒体に記録されずにデータの記録でエラーが発生したと判定するように機能する請求項１に記載のデータ記録装置。
【請求項４】
実質的なデータ無入力の際には、その間はデータの記録媒体への記録を停止するサイレントスキップの機能が備えられ、記録開始からの実際の経過時間からスキップした時間分を差引いた時間に対応するアドレスの記録領域を示すための機能が備えられてなる請求項1に記載のデータ記録装置。
【請求項５】
報知手段によって記録媒体に記録された内容を再生すると、記録にエラーが開始した時刻及びエラーの時間長さが表示される構成の請求項１に記載のデータ記録装置。
【発明の詳細な説明】
【技術分野】
【０００１】
この発明は記録媒体にデータを記録するデータ記録装置に関し、その記録するデータが正しく記録されているか否かを検出する機能、所謂ベリファイ機能を有するデータ記録装置に関する。
【背景技術】
【０００２】
データの記録を行うデータ記録装置には、その記録する対象データの内容が変更されずに正しくそのまま記録されるか否かを検出するベリファイ機能が備えられているものが知られている。従って、ベリファイ機能が備えられたデータ記録装置によって記録されたデータを再生する際、再生されて来るデータが記録時のデータに比して変更されているか否かを知ることができる。
【０００３】
そこで、ベリファイ機能が備えられ、再生されて来るデータが記録時のデータに比して変更されているか否かを知り得るデータ記録装置として、例えば下記の文献で示された発明が知られている。
【０００４】
【特許文献１】特開平６−１３１８８５号公報
【発明の開示】
【発明が解決しようとする課題】
【０００５】
特開平６−１３１８８５号公報等で示されているベリファイ機能が備えられたデータ記録装置を使用して記録媒体にデータの記録を行うと、記録されるデータが変更されずにそのまま正しく記録されるか否かを知ることができるという効果が得られる。
【０００６】
しかしながら、記録媒体にデータの記録を行う際に、当該データ記録装置にデータが与えられていながら、バッファメモリの一時記録の処理や記録媒体においてのデータ記録に不具合が生じ、データの一部が記録されないという事態が発生した場合には、この事態が判らなければ再生時にそのデータはベリファイ機能による記録データのみを信頼するだけということになる。
つまり、ベリファイ機能は、記録媒体に記録されたデータについてのみその記録機能に問題があったか否かを知ることはできるが、データが記録されなかったこと自体には何らの警告を発するものではない。
【０００７】
従って、記録媒体にデータの記録を行う際に、当該データ記録装置にデータが与えられていながらそのデータの一部が記録されない事態が生じても、操作者はベリファイ機能の結果だけを考慮して再生時にデータそのものに欠落があることに気付かず、信頼してしまうという問題が生じる。
【０００８】
他方、データをアクセスする装置として、コンピュータが知られている。コンピュータは演算の迅速性に加えて正確性が性能上の必須要件であることから、アクセスすべきデータに欠落があればエラーとなって他の正常なデータに対しても機能することはない。
然るに、記録対象のデータが例えば音楽や話し言葉等の音声データであって、データ記録装置による記録で欠落したデータが極く僅かである場合には、データを再生時において記録されたデータだけの再生で全体として問題が生じることは殆どない。
【０００９】
しかし、上記の再生において、本来の記録対象のデータに対して実際に記録されたデータには欠落があることに変わりはない。
従って、例えば重要な会議の内容を記録する、裁判の内容を記録する等といった際に、データを漏らさず記録するために複数台のデータ記録装置を用意して記録を行い、データを記録した後に、得られたデータ記録を突合わせて欠落部分を補完するという方法が取られている。
【００１０】
処が、記録したデータの突合わせの作業は、作業者が記録した時間分行う必要があり、作業者の集中力と手間が要求されるという問題があった。
殊に、今日のようにデータ記録の時間が１００時間を越えるような場合には、データ記録の突合わせでは問題はより一層深刻であり、実用的とは言えなかった。
【００１１】
この発明は、上記の事情に鑑みてなされたものであって、入力されて来る記録対象のデータが記録媒体に実際には記録されない場合が生じると、記録データに欠落部分がある旨の報知を簡便に知ることができ、結果的に記録されたデータの信頼性を確保し得るデータ記録装置を提供するものである。
【課題を解決するための手段】
【００１２】
この発明は、データをデータ記録手段によって記録媒体に記録する際に、記録上で不具合があってデータが破棄されて記録媒体に記録されずデータの記録にエラーが生じると、その旨を検出して記録にエラーが生じたと判定するエラー判定手段と、エラー判定手段の機能に対応して記録でエラーが生じるとその旨を記録媒体に記録して再生の際に記録の際にエラーが生じたことを報知する報知手段を備えて構成したデータ記録装置である。
【００１３】
その詳細な構成は、記録媒体に、入力されるデータを記録するためのデータ記録手段と、そのデータ記録手段からデータを記録するために記録媒体に送られても、データが記録媒体に記録が行われずに破棄されると、その旨を検出してデータが欠落しその分のデータが記録媒体に記録されずにデータの記録においてエラーが発生したと判定するエラー判定手段と、そのエラー判定手段が記録媒体へのデータの記録にエラーがあったと判定した場合に、その旨を記録媒体に記録して、再生時にデータの記録にエラーがあった旨を報知するための報知手段が備えてなるデータ記録装置である。
【００１４】
又、エラー判定手段について具体的には一つに、データ記録手段と記録媒体の間に記録すべきデータを一時的に記録するメモリ手段が備えられ、エラー判定手段が、前記メモリ手段に一時記録されたデータがオーバーフローとなって記録媒体に送られず破棄されたことを検出し、データが欠落して記録媒体に記録されずにデータ記録でエラーが発生したと判定するように機能するものが挙げられる。
【００１５】
斯かる構成のデータ記録装置では、データが入力されるメモリ手段においてオーバーフローの状態になって、データの一部が破棄されその分のデータが記録媒体に送られず結果的に記録媒体への記録に欠落が生じると、エラー判定手段がその旨を検出し、報知手段がその旨を記録媒体に記録するので、その記録媒体を再生すると、記録の際にエラーがあった旨が報知され、使用者はその旨を知ることができる。
【００１６】
エラー判定手段について具体的には二つに、記録媒体に欠損箇所があったり記録媒体が正常な記録動作を行わないために、記録媒体１４にデータが送られて来ても、結果的にそれに対応する分のデータが記録媒体に記録されないことになるが、エラー判定手段は斯かる場合を記録することにエラー状態が生じたと判定するように機能するものが挙げられる。
【００１７】
斯かる構成のデータ記録装置では、記録媒体がデータを記録するのに不具合があった場合に、エラー判定手段がその旨を検出し、報知手段がその旨を記録媒体に記録するので、その記録媒体を再生すると、記録の際にエラーがあった旨が報知され、使用者はその旨を知ることができる。
【００１８】
報知手段は、具体的に、データ記録のエラーを視覚的に報知するための記録を行う構成が挙げられる。より具体的には、当該報知手段によって記録媒体に記録された記録エラーが生じた旨を再生すると、エラーの開始時刻及びエラーの時間長さが表示される構成が挙げられる。
ここで、使用者は、そのエラーの開始時刻からエラーの時間長さについてだけデータ記録が行われず信憑性がないことを知ることができる。
【００１９】
又、この発明のデータ記録装置は、実質的なデータ無入力の際にその間はデータの記録媒体への記録を停止するサイレントスキップの機能が付加された構成が挙げられる。
斯かる構成のデータ記録装置では、記録媒体のアドレス記録開始からの実際の経過時間からスキップした時間分を差引いた時間に対応するアドレスの記録領域を示すための機能が備えられてなるものが挙げられる。
つまり、記録媒体はスキップした分だけ記録容量を大きく使用することが可能であり、且つ、使用者にとっては、データの記録エラーの時刻はデータの記録の開始からの時間で知ることが可能な構成になっている。
【００２０】
尚、斯かる構成のデータ記録装置ではデータの記録エラーが発生するとその発生時刻と記録エラーの続いた時間長さが判るので、２以上のデータ記録装置を同時に使用してデータを記録することによって、それぞれのデータの記録エラーが生じた部分記録データを補うことで、スタートからストップまでの欠落のないデータを得ることが可能になる。
斯かる使用の方法によって、裁判記録の確保、連続性を強く要求する観測データの記録等に対処することが可能になっている。
【発明の効果】
【００２１】
この発明は、記録媒体にデータが記録されず破棄されて記録のエラーが生じと、その記録のエラーが生じたことを検出し、データが欠落して記録媒体に記録されずに記録のエラーになったことと判定するエラー判定手段と、そのエラー判定手段が記録媒体へのデータの記録にエラーがあったと判定した際にその旨を当該記録媒体に記録する報知手段を備えて構成したことにより、記録対象のデータが記録媒体に実際には記録されない場合が生じると、その旨が当該記録媒体に記録されるので、使用者が当該記録媒体を再生すると記録データに欠落部分がある旨を極めて簡便に知ることができ、結果的に記録されたデータの信頼性を確保し得るデータ記録装置である。
【００２２】
又、斯かる構成の２以上のデータ記録装置を同時に使用することによって、データの記録エラーが生じた際に、報知手段の作用によってデータの記録エラーの発生した時刻及びその時間長さが極めて簡単に知ることができるので、その報知手段からの報知内容に基づいて欠落分のデータを互いに補完させることが簡便に行うことが可能で、信頼ができるデータ欠落のない記録データを容易に得ることが可能になっている。
【発明を実施するための最良の形態】
【００２３】
この発明を、図面に示す最良の形態に基づき説明する。しかし、この形態によって、この発明が限定されるものではない。
データ記録装置１は、マイクロフォン２と、アンプ３と、Ａ／Ｄ変換器４と、デジタル信号プロセッサ（以下、「ＤＳＰ」と呼ぶ。）５と、制御手段６と、メモリ手段であるバッファメモリ７と、エラー判定手段８と、Ｄ／Ａ変換器９と、アンプ１０と、スピーカ１１と、操作手段１２及び表示手段１３が備えられている。
【００２４】
又、データ記録装置１には、エラー判定手段８が記録媒体１４へのデータの記録にエラーが生じたと判定した際、その旨を記録媒体１４に記録して報知するための報知手段１５が備えられている。
マイクロフォン２は、記録対象データの音声を入力してアナログ信号に変換するものである。
【００２５】
アンプ３は、マイクロフォン２の後段に接続され、マイクロフォン２からの音声データを示すアナログ信号のボリュームを所望の大きさに加工するものである。
Ａ／Ｄ変換器４は、アンプ３の後段に接続され、所望の大きさに加工されたアナログ信号を入力しデジタル信号に変換して出力するものである。
【００２６】
ＤＳＰ５は、制御手段６からの制御信号に基づいて、Ａ／Ｄ変換器４からのデジタル信号を受取った際にデータ記録手段として機能してそのデジタル信号を記録媒体１４に記録するように機能するものである。
ＤＳＰ５は、同様に、制御手段６からの制御信号に基づいて、データ再生手段として機能して記録媒体１４に記録されているデジタル信号を再生してＤ／Ａ変換器９に送るように機能するものである。
【００２７】
尚、Ａ／Ｄ変換器４及びＤ／Ａ変換器９とＤＳＰ５の間にはデジタルのデータ信号を送るためのバス１６が、ＤＳＰ５と制御手段６の間にはデジタルのデータ信号を送るためのバス１７が、ＤＳＰ５とバッファメモリ７の間にはデジタルのデータ信号を送るためのバス１８、バッファメモリ７と記録媒体１４の間にはデジタルのデータ信号を送るためのバス１９が、それぞれ介在されている。
【００２８】
バッファメモリ７は、ＤＳＰ５からのデータを一時的に記録するものである。
ＤＳＰ５からのデータは、バス１８を介してバッファメモリ７に送られ、一時的にバッファメモリ７に記録される。
しかし、そのデータがバッファメモリ７において記録媒体１４への記録を待機している際に、データの容量がバッファメモリ７の容量を越えるとオーバーフローとなってそのオーバーフローとなった分のデータが記録媒体１４に送られず破棄されることになる。
【００２９】
エラー判定手段８は、斯かる場合において、一部のデータが破棄されたことを検出し、結果的に一部のデータが欠落して記録媒体１４に記録されず、データの記録にエラーが生じたと判定するものである。
尚、エラー判定手段８の斯かる機能をＤＳＰ５に備えさせることによって、エラー判定手段８をＤＳＰ５に一体化した構成であってもよい。
【００３０】
記録媒体１４は、具体的に、半導体メモリであって、マイクロフォン２でピックアップされる音声を、デジタル信号にデータ化したものを記録するものである。
Ｄ／Ａ変換器９は、ＤＳＰ５を介して入力される記録媒体１４からのデータであるデジタル信号をアナログ信号に変換するものである。
記録媒体１４は、装置本体ケーシング２０の側部に設けた収納部（図示省略）に蓋体２１を開状態にしてその収納部に収納される構成になっている。
【００３１】
アンプ１０は、Ｄ／Ａ変換器９の後段に接続され、Ｄ／Ａ変換器９からの音声データを示すアナログ信号のボリュームを所望の大きさに加工するものである。
スピーカ１１は、アンプ１０の後段に接続され、所望の大きさに加工されたアナログ信号を入力し音声に変換して出力するものである。
ここで、データ記録装置１は、上述した内容から判るように、データの再生機能が備えられている。
【００３２】
操作手段１２は、装置本体ケーシング２０の前面及び天面に配設され、装置機能の操作を行うものである。
又、表示手段１３は、装置のその時点における機能状態を表示するものである。
データ記録装置１は、更に、報知手段１５が備えられている。
報知手段１５は、上述したように、エラー判定手段８が記録媒体１４へのデータの記録でエラーが生じたと判定した際、その旨を記録媒体１４に記録して報知するように機能するものである。報知手段１５は、主に制御手段６、ＤＳＰ５及び操作手段１２から構成されている。
【００３３】
つまり、報知手段１５は具体的には、エラー判定手段が８が記録媒体１４に音声データ（デジタル信号）を記録することにエラーが生じたと判定してその旨を報知する際に、操作手段１２が、記録エラーが生じた旨をどのようにして報知するかを設定入力し、制御手段６が、操作手段１２からの設定入力の信号を受けてＤＳＰ５に記録すべき内容の命令信号を出力し、ＤＳＰ５が、制御手段６からの命令信号を受けて記録媒体１４に具体的に報知のためのデータを記録するように機能するものである。
又、報知手段１５の報知の内容は、具体的に、記録でエラーが発生した際のその発生の時刻（記録開始からの時刻）、エラーの時間長さ、エラーの発生した全ての数等が挙げられる。
【００３４】
更に、データ記録装置１は、マイクロフォン２から入力される音声データに無音声の状態があった際には、制御手段６がその無音声の状態を判別し、且つ、その状態に対してデータ記録手段であるＤＳＰ５に無音声に対応するデータ信号を記録媒体１４に記録することを停止させるサイレントスキップの機能が備えられている。
【００３５】
斯かるサイレントスキップの機能により、データ記録装置１は、記録媒体１４の記録容量を無音声分だけ多く記録することが可能になっている。
サイレントスキップの機能は、操作釦２３の押圧操作によってＯＮ−ＯＦＦが行われる構成になっている。
又、データ記録装置１は、作動開始と共にマイクロフォン２からの音声データが入力可能な状態になるが、ＲＥＣレバー２２を操作することによって初めて記録が行われる構成になっている。
【００３６】
データ記録装置１は、上述したように構成されている。以下において、データ記録装置１の機能を説明する。
操作者は、まず最初に操作手段１２を操作してメイン電源をＯＮにする。続いて、装置本体ケーシング２０の蓋体２１を開状態にして記録媒体１４を所定状態で収納させ、つまり、記録媒体１４をコネクタ（図示省略）に所定通りに接続固定し、蓋体２１を閉じる。
【００３７】
操作者は、次に、ＲＥＣレバー２２をスライド操作して、データ記録装置１にマイクロフォン２からの音声の記録を開始させる。
ここで、データ記録装置１は、マイクロフォン２が入力されて来る音声をピックアップし、アナログ信号に変換してアンプ３に送る。
アンプ３は、マイクロフォン２からのアナログ信号を受取ると、そのボリュームを所望の大きさに加工してＡ／Ｄ変換器４に送る。
【００３８】
Ａ／Ｄ変換器４は、アンプ３からの所望の大きさに加工されたアナログ信号を入力すると、デジタル信号に変換してバス１６に出力する。
ＤＳＰ５は、制御手段６からの制御信号に基づいてデータ記録手段として機能し、バス１６を介したＡ／Ｄ変換器４からのデジタル信号を受取ると、バス１８を介してそのデジタル信号をバッファメモリ７に送る。
【００３９】
バッファメモリ７は、バス１８からのデジタル信号を所定順序で一時記録して行く。
つまり、バッファメモリ７は、ＤＳＰ５から送られて来るデジタル信号のデータを一時的に蓄えることになる。
【００４０】
しかしながら、バッファメモリ７において、蓄えているデータの量がバッファメモリ７の容量を越える場合が生じることがある。
斯かる場合には、その超えた分のデータはバッファメモリ７に一時記録されずに破棄されることになる。つまり、バッファメモリ７において、所謂データのオーバーフローの状態が生じると、そのオーバーフローした分のデータが一時記録されずに捨てられるということになる。
【００４１】
この時、エラー判定手段８は、バッファメモリ７でデータのオーバーフローの状態が生じて、本来なら記録媒体１４に記録すべきデジタル信号のデータの一部が破棄されたのであるから、結果的に、その破棄されたデータは記録媒体１４に送られず欠落したので記録媒体１４に記録されることがなく、記録媒体１４に対するデータの記録でエラー状態が生じたと判定して、その旨を制御手段６に送る。
【００４２】
ここで、制御手段６は、エラー判定手段８からの判定内容を信号で受取ると、データが欠落して記録されないことに対応する記録媒体１４の開始のアドレスとそのデータのサイズをＤＳＰ５を作用させて記録媒体１４に記録させる。
記録媒体１４は、ＤＳＰ５の作用によって、エラー状態が開始したアドレスとその大きさを記録する。
【００４３】
次に、バッファメモリ７に一時記録されたデジタル信号のデータは、バス１９を介して記録媒体１４に送られる。
ここで、記録媒体１４は、バッファメモリ７からのデジタル信号のデータを所定順序で記録する。
【００４４】
しかしながら、記録媒体１４において、バッファメモリ７からバス１９を介してデジタル信号のデータが順次送られて来ても、記録媒体１４に欠損箇所があったり、正常な記録動作が得られなかったりするといったことがあると、それらを原因としてそれに対応する分のデータが記録媒体１４に記録されない場合が生じことになる。
【００４５】
この時、エラー判定手段８は、記録されるべきデジタル信号のデータの一部が欠落し、結果的に、その欠落したデータは記録媒体１４に記録されないと判定し、データの記録媒体１４への記録においてエラー状態が生じたと判定し、その旨を制御手段６に送る。
【００４６】
ここで、制御手段６は、エラー判定手段８からのエラー状態があった旨の判定内容を信号で受取ると、記録媒体１４にデータが欠落して記録されないことに対応する記録媒体１４の開始のアドレスとそのデータのサイズをＤＳＰ５を作用させて記録媒体１４に記録させる。
記録媒体１４は、ＤＳＰ５の作用によって、エラー状態が開始したアドレスとその大きさを記録する。
【００４７】
他方、操作釦２３を押圧操作しサイレントスキップの機能を作用させて、データ記録装置１を機能させる。
データ記録装置１は、マイクロフォン２が音声が入力して来ないことを感知する際は、結果的に、ＤＳＰ５から制御手段６にデータの入力がない旨が伝えられると、制御手段６はＤＳＰ５に記録媒体１４に無音声に対応するデータの記録を停止状態にするための制御信号を送る。
ここで、ＤＳＰ５は、記録媒体１４にデータの記録を停止する。
【００４８】
時間が経過して、マイクロフォン２が入力する音声をピックアップして音声入力を感知すると、結果的に、ＤＳＰ５から制御手段６にデジタル信号（音声データ）の入力再開の旨が伝えられる。
制御手段６は、ＤＳＰ５に記録媒体１４にデータの記録を再開するための制御信号を送る。
ここで、ＤＳＰ５は、記録媒体１４にマイクロフォン２からの音声に対応するデジタル信号の音声を記録する。
【００４９】
データ記録装置１が、データの記録を再開して以降に、上述したように、バッファメモリ７においてデータのオーバーフロー、或いは、記録媒体１４において不具合が生じて一部のデータの記録が行われないという状態が生じると、記録されずに欠落したデータ、そのデータのサイズ、及び記録エラーの記録開始からの時刻を記録する。
【００５０】
尚、記録媒体１４の使用領域に係るアドレスと記録を行っている際の時刻を連続して対応付けて記録する場合には、例えばアドレスに基づいて記録開始からの経過時間を算出することが可能である。
しかしながら、データ記録装置１で記録媒体１４にデータを記録している際にサイレントスキップがある場合は、記録媒体１４の使用領域に係るアドレスと記録開始からの経過時間が対応しなくなる。
【００５１】
つまり、クロックはサイレントスキップの有無に拘わらず記録開始からの時間を計時するが、記録の際にサイレントスキップの機能が働くとそのサイレントスキップに対応する分だけ記録が停止してアドレスが進まないことになるから、記録媒体１４の使用領域に係るアドレスについてはサイレントスキップの時間分だけ時間経過がないことになる。
【００５２】
よって、例えば作動開始からＴ時間後にサイレントスキップが生じ、そのｔ１時間後にサイレントスキップが解除となり、更に、そのｔ２時間後にデータの記録にエラーが生じたとエラー判定手段８が判定する場合では、クロックはデータ記録装置１の作動開始から（Ｔ＋ｔ１＋ｔ２）時間後に記録のエラーが生じたことを示すことになる。
他方、記録媒体１４の使用領域では、（Ｔ＋ｔ２）時間後に対応するアドレスに記録のエラーが記録されることになる。
【００５３】
そこで、データ記録装置１では、斯かる不具合に対して、使用者は通常サイレントスキップの有無に拘わらずデータ記録装置１の開始からの時間の方をサイレントスキップがあった場合にその時間分を差引いた時間より重視することから、サイレントスキップがあった際にはクロック時間からその時間分を差引いた時間に対応するアドレスの記録領域を示すための機能が制御手段６に備えられている。
【００５４】
ここで、データ記録装置１を、データの記録機能からデータの再生機能に切換えて、作動させる。
データ記録装置１は、制御手段６がＤＳＰ５に記録媒体１４からデータを再生するための制御信号を送る。
ＤＳＰ５は、制御手段６からの制御信号に従って、バツファメモリ７を介して記録媒体１４からデータを読み出し、そのデータをバス１６を介してＤ／Ａ変換器９に送る。
Ｄ／Ａ変換器９はデータであるデジタル信号をアナログ信号に変換して、アンプ１０に送る。
【００５５】
アンプ１０は、Ｄ／Ａ変換器９からのアナログ信号を所望のボリュームに増幅させ、スピーカ１１に送る。
スピーカ１１は、アンプ１０からのアナログ信号を音声に変換して出力する。
【００５６】
データ記録装置１のこのデータの再生機能を行わせる際に、記録媒体１４に記録されたデータに上述したバッファメモリ７及び記録媒体１４の機能上の不具合によってデータの一部が欠落してデータの記録にエラーがあった場合には、記録媒体１４に記録されたデータがマイクロフォン２から入力された音声データがそっくり全て記録されたのではなく一部に欠落があってその分信頼できない旨を報知するための信号が、記録媒体１４からバッファメモリ７、ＤＳＰ５及び制御手段６を介して表示手段１３に表示される。
【００５７】
表示手段１３に表示される記録エラーの内容は、記録エラーが発生した回数、それぞれの記録エラーにおいてデータ記録装置１による記録媒体１４へのデータの記録開始時からの時間、記録エラーが続いた時間である。
使用者は、データ記録装置１の表示手段１３から、記録媒体１４に記録されているデータに対して、欠落されて記録されなかったデータがあることを知ることができる。
【００５８】
従って、使用者は、複数台のデータ記録装置１を用意し、それらを同時に作動させて同一の入力データに対して複数のデータの記録を行うと、データの記録に欠落があってもつまりデータの記録エラーが生じても、それぞれのデータで欠落している箇所を容易に知ることができ、それらのデータで互いに欠落部分のデータを補完し合うことによって簡便にマイクロフォン２から入力されて来たままのデータ欠落のない状態のデータを得ることが可能になる。
【００５９】
殊に、記録対象のデータの容量が大きく、記録するための時間が長大であって且つ信頼できるデータを得ようとする場合においては、記録媒体１４に記録されたデータに欠落部分があることは報知手段１５の機能によって記録媒体１４から簡便に知ることができるので、作業に多大な集中力は不要であって、記録した全てのデータの再生を行うための時間を必要としない。
【００６０】
データ記録装置１は、記録エラーが複数回発生する際にそれらのエラーを記録媒体１４に順序付けて記録することになるが、その順序付けて記録媒体１４に記録されたエラーの情報を、データの再生手段にそれらの記録エラーを順番で読出す機能、記録エラーをリストとして表示する機能を備えることにより、データ記録装置１によって簡便で効率よく全体の記録エラーを知ることが可能になる。
【００６１】
データ記録装置１は、記録媒体１４として半導体メモリを使用する構成であるが、他の記録媒体、例えばＣＤ等であってもよい。その場合、データ記録手段は、使用する記録媒体に対応させて、適宜装置に具備する構成になる。
【００６２】
データ記録装置１は、記録媒体１４に記録されたデータを再生するデータ再生手段を備えて構成されているが、データ再生手段を備えていない構成であってもよい。
又、データ記録装置１は記録の対象を音声データとしているが、映像データであってもよく、更には、映像と音声の複合したデータであってもよい。
【００６３】
データ記録装置１は、報知手段１５によってデータ記録のエラーがあった旨を記録媒体に表示用のデータで記録しているが、音声用のデータで記録する構成であってもよい。
【図面の簡単な説明】
【００６４】
【図１】この発明の最良の実施の一形態において、記録媒体を接続している際の構成を説明するブロック図である。
【図２】図１に示す形態の外観を示す斜視図である。
【符号の説明】
【００６５】
１      ：データ記録装置
５      ：デジタル信号プロセッサ（ＤＳＰ、データ記録手段で且つデータ再生手段）
６      ：制御手段
７      ：バッファメモリ（メモリ手段）
８      ：エラー判定手段
１２    ：操作手段
１３    ：表示手段
１４    ：記録媒体
１５    ：報知手段    
１７    ：ＲＥＣレバー
１８    ：ケーシング
【図１】
2006309492.tif 000003
【図２】
2006309492.tif 000004
【手続補正書】
【提出日】平成17年7月29日(2005.7.29)
【手続補正１】
【補正対象書類名】図面
【補正対象項目名】図１
【補正方法】変更
【補正の内容】
【図１】
2006309492.tif 000005